(57)【要約】【課題】  ワイヤを巻いた状態で収納する容器の小型化を図る。【解決手段】  ワイヤ梱包体１は、円筒状として軸心方向一端側の端壁３ａの中央部に開口４を備えた容器２と、容器２の内側に収納された溶接ワイヤ５を備える。溶接ワイヤ５は、容器２の周壁７の内面に沿う位置に、容器軸心方向に整列して螺旋状に巻かれた溶接ワイヤ５の層が形成され、その内側に、容器軸心方向に整列して螺旋状に巻かれた溶接ワイヤ５の層が外周側から内周側に向けて順に積層される。これにより、溶接ワイヤ５のワイヤ巻体８の外形と、容器２の内部形状とが対応したものとなる。容器２の開口４には、取り外し可能な蓋６を備えて、容器２内の溶接ワイヤ５を外気から隔離できるようにする。【選択図】図１
2017047444.tif 000002
【特許請求の範囲】
【請求項１】
円筒状の容器と、
前記容器の軸心方向の端壁に備えた開口と、
前記容器内の外周側から内周側へ積層して巻かれた状態で前記容器に収納されたワイヤとを備えること
を特徴とするワイヤ梱包体。
【請求項２】
前記容器は、前記開口に取り外し可能な蓋を備える
請求項１記載のワイヤ梱包体。
【請求項３】
前記容器は、周壁の内面に、前記ワイヤを容器軸心方向に整列させるためのガイド手段を備える
請求項１又は２記載のワイヤ梱包体。
【請求項４】
請求項１から請求項３のいずれか一項に記載のワイヤ梱包体を回転自在に保持するフレームと、
前記容器の前記開口より挿入されて前記容器に収納されたワイヤの内周部に当てて配置されるワイヤガイドと、
前記フレームに取り付けられていると共に、前記ワイヤガイドを、前記容器に収納されたワイヤの内周部に押し付ける方向に付勢するアーム部材とを備える
ワイヤ供給装置。
【請求項５】
前記フレームに前記ワイヤ梱包体の回転駆動手段を備える
請求項４記載のワイヤ供給装置。
【発明の詳細な説明】
【技術分野】
【０００１】
本発明は、溶接ワイヤ等のワイヤを梱包したワイヤ梱包体、および、該ワイヤ梱包体から外部へワイヤを供給するために用いるワイヤ供給装置に関するものである。
【背景技術】
【０００２】
溶接ワイヤを容器内に梱包したものとしては、ペールパックが広く使用されている。
【０００３】
ペールパックは、軸心方向の一端側に開口を備えた円筒状の容器の内側に、溶接ワイヤが巻かれた状態で収納されている。このペールパックに収納された溶接ワイヤは、前記容器の軸心方向他端部側の層から軸心方向一端側へ向けて順に積層するように巻かれることで、外形が円筒形状のワイヤ巻線体（ワイヤ巻体）とされている（たとえば、特許文献１参照）。
【先行技術文献】
【特許文献】
【０００４】
【特許文献１】特開２００９−１０７０２１号公報
【発明の概要】
【発明が解決しようとする課題】
【０００５】
ところが、ペールパックは、円筒形状のワイヤ巻線体から溶接ワイヤを容器の軸心方向に引き出して、容器の一端側の開口から外部へ取り出すようにしてあるため、容器には、軸心方向の一端寄りに、ワイヤ巻線体から引き出される溶接ワイヤが周方向に旋回するように移動するための空間が必要とされる。
【０００６】
そのため、容器は、ワイヤ巻線体の軸心方向寸法に比して軸心方向に延びた形状となっている。
【０００７】
また、容器の内周面と溶接ワイヤ巻線体の外周面との間に隙間が設けられる場合もあり、この場合は、容器が、ワイヤ巻線体の外径に比して径方向に拡大されたものとなる。
【０００８】
したがって、ペールパックは、溶接ワイヤを収納する容器が、円筒形状に巻かれた溶接ワイヤを収納するために必要とされる容積に比して大型化しているのが実状である。
【０００９】
そこで、本発明は、ワイヤを巻いて収納する容器の小型化を図ることができるワイヤ梱包体、および、該ワイヤ梱包体から外部へワイヤを供給するために用いるワイヤ供給装置を提供しようとするものである。
【課題を解決するための手段】
【００１０】
本発明は、前記課題を解決するために、円筒状の容器と、前記容器の軸心方向の端壁に備えた開口と、前記容器内の外周側から内周側へ積層して巻かれた状態で前記容器に収納されたワイヤとを備える構成を有するワイヤ梱包体とする。
【００１１】
前記容器は、前記開口に取り外し可能な蓋を備える構成としてある。
【００１２】
前記容器は、周壁の内面に、前記ワイヤを容器軸心方向に整列させるためのガイド手段を備える構成としてある。
【００１３】
前記した構成を備えるワイヤ梱包体を回転自在に保持するフレームと、前記容器の前記開口より挿入されて前記容器に収納されたワイヤの内周部に当てて配置されるワイヤガイドと、前記フレームに取り付けられていると共に、前記ワイヤガイドを、前記容器に収納されたワイヤの内周部に押し付ける方向に付勢するアーム部材とを備えるワイヤ供給装置とする。
【００１４】
前記フレームに前記ワイヤ梱包体の回転駆動手段を備える構成としてある。
【発明の効果】
【００１５】
本発明のワイヤ梱包体によれば、円筒形状に巻かれたワイヤを収納する容器の小型化を図ることができる。
【００１６】
また、本発明のワイヤ供給装置によれば、前記ワイヤ梱包体を使用して外部へワイヤを供給することができる。
【図面の簡単な説明】
【００１７】
【図１】ワイヤ梱包体の実施形態を示すもので、（ａ）は容器の軸心方向一端側からの概略斜視図、（ｂ）は容器の軸心方向他端側からの概略斜視図、（ｃ）は容器軸心位置での断面を示す図である。
【図２】ワイヤ梱包体を形成するために容器にワイヤを収納する手法の一例を示す概要図である。
【図３】図１のワイヤ梱包体で用いる容器の外周部を拡大して示す断面図である。
【図４】ワイヤ供給装置の第１実施形態を示す概略側面図である。
【図５】図４のＡ−Ａ方向矢視図である。
【図６】第１実施形態のワイヤ供給装置からワイヤ梱包体を取り外した状態を示す概略平面図である。
【図７】第１実施形態のワイヤ供給装置におけるアーム部材のスライド機構を拡大して示す一部切断斜視図である。
【図８】第１実施形態のワイヤ供給装置におけるワイヤガイドを拡大して示す斜視図である。
【図９】ワイヤ供給装置の第２実施形態を示す概略側面図である。
【図１０】図９のＢ−Ｂ方向矢視図である。
【図１１】第２実施形態のワイヤ供給装置における制御系を示すブロック図である。
【図１２】（ａ）（ｂ）はいずれもアーム部材の変形例を示す図である。
【発明を実施するための形態】
【００１８】
以下、本発明を実施するための形態を図面を参照して説明する。
【００１９】
［ワイヤ梱包体の実施形態］
図１は、ワイヤ梱包体の実施形態を示すもので、図１（ａ）は容器の軸心方向一端側からの概略斜視図、図１（ｂ）は容器の軸心方向他端側からの概略斜視図、図１（ｃ）は容器の軸心に沿う位置での断面を示す図である。図２は、ワイヤ梱包体を形成するために容器にワイヤを収納する手法の一例を示す概要図である。図３は本実施形態のワイヤ梱包体で用いる容器の外周部を拡大して示す断面図である。
【００２０】
本実施形態のワイヤ梱包体は、図１（ａ）（ｂ）（ｃ）に符号１で示すもので、円筒状として軸心方向両側の端壁３ａ，３ｂのうち、軸心方向一端側の端壁３ａの中央部に開口４を備えた容器２と、容器２の内側に巻かれて収納されたワイヤとしての溶接ワイヤ５とを備えた構成とされている。更に、本実施形態のワイヤ梱包体１は、容器２の開口４に取り外し可能な蓋６を備えた構成とされている。以下の説明においては、容器２の軸心に沿う方向をｘ軸方向という。なお、図１（ａ）では、図示する便宜上、蓋６を容器２の開口４から取り外した状態が実線で示してあり、開口４に取り付けられた状態の蓋６は二点鎖線で示してある。
【００２１】
溶接ワイヤ５は、図１（ｃ）に示すように、ｘ軸方向に整列して螺旋状に巻かれた溶接ワイヤ５の層が外周側から内周側に向けて順に積層された状態として、容器２に収納されている。
【００２２】
これにより、容器２に収納された溶接ワイヤ５は、全体で円筒形状の外形を備えたものとなる。この容器２内で円筒形状に巻かれている溶接ワイヤ５の全体を、以下、ワイヤ巻体８という。
【００２３】
前記のように容器２に溶接ワイヤ５を外周側から積層して収納する場合は、たとえば、以下の手法で行えばよい。
【００２４】
図２に示すように、容器２には、予め、周壁７の内面における周方向の１個所で、且つ端壁３ｂの近傍位置に、収納する溶接ワイヤ５の先端部の位置決めを行うための係止部９を、たとえば、突起として設けておく。係止部９は、端壁３ａの近傍位置に設けるようにしてもよい。
【００２５】
次に、容器２には、収納対象となる溶接ワイヤ５の送り込みノズル１０を、予め蓋６（図１（ａ）（ｂ）参照）を取り外した状態の開口４から差し入れて、送り込みノズル１０の先端側を係止部９の近くに位置させておく。送り込みノズル１０から送り込む溶接ワイヤ５は、容器２の外周側に配置させる端部を、係止部９に対して容器２の周方向に沿う位置から押し当てる。次いで、送り込みノズル１０から溶接ワイヤ５を容器２の周方向に沿って送り込む。この際、容器２は、溶接ワイヤ５の送り込み方向に沿う回転方向に回転させる。容器２の回転速度は、容器２内で溶接ワイヤ５が配置される径方向位置の周方向の移動速度と、溶接ワイヤ５の送り込み速度が同期するように調整する。この容器２の回転は、容器２を図示しない保持手段で回転自在に保持した状態で、溶接ワイヤ５を送り込む力を利用して受動的に行わせてもよく、あるいは、図示しない回転駆動装置を用いて能動的に行わせるようにしてもよい。
【００２６】
これにより、容器２に収納された溶接ワイヤ５は、周壁７の内面における係止部９が設けられている端壁３ｂの近傍位置に周方向に沿って配置される。
【００２７】
前記のように溶接ワイヤ５の送り込みを開始してから容器２の回転が１回転に近付くと、送り込みノズル１０は、図２に二点鎖線で示すように、ｘ軸方向に沿って溶接ワイヤ５の直径の寸法分、移動させ、その状態で溶接ワイヤ５の送り込みを継続して行う。これにより、容器２が１回転した後に新たに送り込まれる溶接ワイヤ５は、先に周壁７に沿って周方向に配置されている溶接ワイヤ５に対してｘ軸方向に隣接して配置される。
【００２８】
その後、容器２がｘ軸を中心に１回転するごとに、前記と同様に送り込みノズル１０のｘ軸方向への所定量の移動を順次繰り返して行いながら溶接ワイヤ５の送り込みを続けると、周壁７の内面に沿う位置には、ｘ軸方向に整列して螺旋状に巻かれた溶接ワイヤ５の層が形成される。
【００２９】
この層を形成するように巻かれた溶接ワイヤ５には、溶接ワイヤ５自身が有する弾性によって外周側に広がろうとする力が働くため、溶接ワイヤ５は、周壁７の内面に密着して配置される。
【００３０】
周壁７の内面に沿う位置にｘ軸方向に整列して螺旋状に巻かれた溶接ワイヤ５の層を形成する処理に鑑みて、容器２は、図３に示すように、周壁７の内面に、溶接ワイヤ５のｘ軸方向の整列を促すためのガイド手段１１を備える構成とすることがより好ましい。
【００３１】
図３では、ガイド手段１１は、周壁７の内面から径方向内向きに突出する部材とされている。周壁７の内面には、複数のガイド手段１１がｘ軸方向に溶接ワイヤ５の直径に応じたピッチで配列されて設置されている。なお、ガイド手段１１は、図示しないが、少なくとも周方向の一個所に、溶接ワイヤ５の配置をｘ軸方向にずらすための不連続部（断続部）を備えている。
【００３２】
このガイド手段１１を備えた容器２によれば、前記のように周壁７の内面に沿う位置に溶接ワイヤ５の送り込みを行うときに、溶接ワイヤ５がガイド手段１１によりガイドされてｘ軸方向の位置決めが促される。よって、この場合は、溶接ワイヤ５のｘ軸方向へのずれが抑えられるため、溶接ワイヤ５をｘ軸方向に整列させて螺旋状に巻く処理を、より確実に行うことが可能になる。そのため、容器２にガイド手段１１を備える構成では、送り込みノズル１０から溶接ワイヤ５を送り込むときに、送り込みノズル１０のｘ軸方向の位置の制御に求められる精度を緩和する効果が期待できる。
【００３３】
なお、ガイド手段１１は、周壁７の内面から突出する部材として示したが、周壁７の内面に沿って周方向に配置される溶接ワイヤ５のｘ軸方向の位置決めを促すことができるようにしてあれば、周壁７の内面に溝を設けた構成や、その他、図示した以外の任意の凹凸であってもよい。
【００３４】
前記のようにして周壁７の内面に沿う位置に１層目の溶接ワイヤ５の層が形成された後は、送り込みノズル１０（図２参照）によって溶接ワイヤ５を送り込む位置を、容器２の軸心寄りにシフトさせ、その状態で溶接ワイヤ５の送り込みを継続して行う。これにより、１層目の溶接ワイヤ５の層の巻き終わりとなる部分の内側において、２層目の溶接ワイヤ５の層の巻き始めとなる溶接ワイヤ５が周方向に沿って配置される。
【００３５】
次いで、容器２が１回転して１層目の溶接ワイヤ５の層の内側に溶接ワイヤ５が一周に亘り配置されたら、送り込みノズル１０は、ｘ軸方向に沿って１層目の層を形成させたときとは逆の方向に、溶接ワイヤ５の直径の寸法分、移動させ、その状態で溶接ワイヤ５の送り込みを継続して行う。この操作を容器２がｘ軸を中心に１回転するごとに順次繰り返して行うと、ｘ軸方向に整列して螺旋状に巻かれた溶接ワイヤ５の２層目の層が、１層目の層の内側に積層されて形成される。
【００３６】
この２層目の層を形成している部分の溶接ワイヤ５にも、溶接ワイヤ５自身が有する弾性によって外周側に広がろうとする力が働く。このため、２層目の層を形成している部分の溶接ワイヤ５は、周方向の多くの部分が、１層目の層でｘ軸方向に整列して巻かれた溶接ワイヤ５によって形成されている周方向に延びるＶ字状の溝に沿って配置される。なお、２層目の層では、溶接ワイヤ５の巻き始めと巻き終わりの位置が、ｘ軸方向に関して１層目の層とは逆に配置されている。このため、２層目の層に巻かれる部分の溶接ワイヤ５は、１層目の層に巻かれている部分の溶接ワイヤ５に対し、周方向のいずれかの個所で交差して配置される。
【００３７】
その後は、２層目の層の内側に、ｘ軸方向に整列して螺旋状に巻かれた溶接ワイヤ５の層を、順次繰り返し積層させて、図１（ｃ）に示すようなワイヤ巻体８を形成させるようにすればよい。
【００３８】
ワイヤ巻体８の内周部の位置、すなわち、最も内周側に配置された溶接ワイヤ５の層の位置は、容器２の開口４よりも内側に位置しなければ、収納対象の溶接ワイヤ５の長さに応じて、容器２の径方向の任意の位置に設定されていてもよい。
【００３９】
収納対象の溶接ワイヤ５の容器２内周側の端部は、ワイヤ巻体８の内周側に単に露出された状態で配置される。前述したように、容器２内に巻かれた状態で収納されている溶接ワイヤ５には、溶接ワイヤ５自身が有する弾性によって外周側に広がろうとする力が働いているため、容器２に収納されたワイヤ巻体８の内周側に空隙があるとしても、溶接ワイヤ５の巻きが内周側へ崩れたり、溶接ワイヤ５の容器２の内周側に配置させる端部がその外周側に巻かれている溶接ワイヤ５の中に入り込んだりすることは防止される。
【００４０】
更に、溶接ワイヤ５を容器２に収納するときには、図２に示すように、送り込みノズル１０の上流側から溶接ワイヤ５を供給するときの方向が、ｘ軸方向に対して直角な方向となっていることが好ましい。このようにすれば、溶接ワイヤ５における送り込みノズル１０の上流側から供給される部分と、容器２内に収納された部分との間にねじれが生じないためである。
【００４１】
したがって、ペールパックの容器に溶接ワイヤを収納するときには、溶接ワイヤに捻りを加える工程が必要とされるが、本実施形態のワイヤ梱包体１では、容器２に収納する溶接ワイヤ５に捻りを加える操作は不要にできる。したがって、容器２に溶接ワイヤ５を収納するために用いる装置構成は、ペールパックの容器に溶接ワイヤを収納するために用いる装置構成に比して簡略化を図ることができる。
【００４２】
容器２は、溶接ワイヤ５の構成成分と反応しない樹脂製とすることが好ましい。これは、容器２を金属製とする場合に比して容器２の重量の軽減化に有利であること、溶接ワイヤ５の構成成分と容器２の構成成分との反応に起因する溶接ワイヤ５や容器２の劣化の防止に有利であることによる。
【００４３】
蓋６は、たとえば、弾性変形可能な樹脂製とし、図１（ｃ）に示すように、容器２の開口４よりも大径の円板状として開口４の周縁部に容器２の外側から接触させるための蓋本体６ａと、蓋本体６ａの一側に突出するように設けられた筒状の嵌合部６ｂとを備えた構成とされている。嵌合部６ｂは、蓋本体６ａ寄りの部分が、開口４の径に対応した外径の円筒とされ、蓋本体６ａから離反する端部側に開口４の内径よりも太い径となる部分を備えた構成とされている。これにより、蓋６は、嵌合部６ｂの太径の部分を弾性変形させながら開口４に挿通させると、この部分が開口４を通過した時点で弾性変形状態から復元して容器２内側から開口４の周縁に密着する。このため、開口４への蓋６の取り付けと、蓋６による開口４の閉止を行うことができる。なお、蓋６は、開口４に対する取り付けと取り外しの作業の作業性を高めるために、図示しないタブやハンドルなどの把持部を備える構成としてもよい。
【００４４】
開口４に蓋６を取り付けた状態では、容器２の内部が、外気より隔離される。このため、容器２に収納されている溶接ワイヤ５は、外気から隔離されるため、溶接ワイヤ５の吸湿や、錆の発生を抑制することができる。この効果は、溶接ワイヤ５を途中まで使用した状態のときに開口４に蓋６を取り付けた場合であっても得ることができる。
【００４５】
容器２は、更に、図１（ｂ）に示すように、端壁３ａと端壁３ｂの少なくとも一方に、容器２内に収納されているワイヤ巻体８を外部から視認するための透明または半透明の窓１２を備えることが好ましい。図１（ｂ）では、端壁３ｂに窓１２を備えた構成が示してある。
【００４６】
なお、窓１２は、開口４の周縁に対応する容器２の中央部から、容器２の外周部までの範囲に亘って設けられていればよい。また、容器２に収納されるワイヤ巻体８のサイズが一定のサイズに決まっている場合は、窓１２は、そのワイヤ巻体８が配置される径方向の範囲に応じて設けられていればよい。
【００４７】
窓１２の形状は、図１（ｂ）に示すような容器２の半径方向に延びる形状の他に、扇形やその他任意の形状としてもよい。窓１２は、たとえば、端壁３ｂに設けた開口部に、透明または半透明の樹脂板を取り付けることで形成すればよい。
【００４８】
更には、端壁３ａと端壁３ｂの一方または双方を、透明または半透明の樹脂製として、端壁３ａや端壁３ｂの全面を、ワイヤ巻体８の視認用の窓としてもよい。
【００４９】
容器２に窓１２を備えた構成によれば、容器２の外部からワイヤ巻体８の内周部の位置を窓１２を通して視認できるため、容器２に収納されている溶接ワイヤ５の量を推定することができる。
【００５０】
更に、図１（ｂ）に示すように、窓１２には、容器２に収納されているワイヤ巻体８の内周部の位置と、収納されている溶接ワイヤ５の量との相関に基づいて作成されたスケール１３を備えるようにしてもよい。なお、スケール１３は、図１（ｂ）では窓１２自体に設けられている構成を示したが、窓１２の近傍に設けられた構成とされていてもよい。このスケール１３を備えた構成によれば、容器２に収納されている溶接ワイヤ５の量を、より正確に知ることができる。
【００５１】
以上の構成としてある本実施形態のワイヤ梱包体１では、容器２に収納されたワイヤ巻体８の外周側は周壁７の内面に接しており、ワイヤ巻体８のｘ軸方向の両端側は、各端壁３ａ，３ｂに接している。このため、容器２は、内部の寸法を、収納すべきワイヤ巻体８の外形に比して軸心方向に拡大したり、径方向に拡大したりする必要はない。
【００５２】
よって、本実施形態のワイヤ梱包体１は、ワイヤ巻体８を収納する容器２の小型化を図ることができる。
【００５３】
また、本実施形態のワイヤ梱包体１は図１（ｃ）に二点鎖線で示すように、蓋６を開口４より取り外し、その後、ワイヤ巻体８の内周側に露出している溶接ワイヤ５の端部を開口４から外部に順次引き出すことにより、溶接ワイヤ５を連続的に使用することができる。
【００５４】
更に、たとえば、溶接ワイヤ５を図示しないスプールに巻いて梱包する場合には、溶接ワイヤ５はスプールの軸側から巻きが開始されるため、巻き径が小さくなり易く、溶接ワイヤ５の巻き癖が強くなりやすいが、本実施形態のワイヤ梱包体１では、溶接ワイヤ５は容器２の外周側から巻かれるために、巻き径をより大きく設定しやすく、よって溶接ワイヤ５の巻き癖を抑制することができる。
【００５５】
［ワイヤ供給装置の第１実施形態］
図４はワイヤ供給装置の第１実施形態を示す概略側面図である。図５は図４のＡ−Ａ方向矢視図である。図６は本実施形態のワイヤ供給装置のワイヤ梱包体が取り外された状態を示す概略平面図である。図７は本実施形態におけるアーム部材のスライド機構を拡大して示す一部切断斜視図である。図８は本実施形態におけるワイヤガイドを拡大して示す斜視図である。
【００５６】
なお、図４乃至図８において、図１乃至図３に示したものと同一のものには同一符号を付してその説明を省略する。
【００５７】
本実施形態のワイヤ供給装置は、図４、図５、図６に符号１４で示すもので、前述したワイヤ梱包体１から外部へ溶接ワイヤ５を供給する場合に用いるものである。本実施形態のワイヤ供給装置１４は、ワイヤ梱包体１を、ｘ軸方向（容器軸心方向）を水平に配置した姿勢で用いる形式としてある。
【００５８】
ワイヤ供給装置１４は、フレーム１５と、ワイヤガイド１６と、アーム部材１７とを備えた構成とされている。フレーム１５はワイヤ梱包体１を収納して回転可能に保持するものである。ワイヤガイド１６は、フレーム１５に保持されたワイヤ梱包体１の容器２に開口４から挿入して、ワイヤ巻体８の内周部に接するように配置するものである。アーム部材１７は、ワイヤガイド１６をフレーム１５に保持させると共に、ワイヤガイド１６をワイヤ巻体８の内周部に押し付ける方向に付勢するためのものである。
【００５９】
フレーム１５は、たとえば、ｘ軸方向に配置された横行材１８、および、ｘ軸方向に垂直な面内で直交する２つの軸方向となる横方向と縦方向に配置された横材１９と縦材２０とにより形成された直方体形状の骨組構造を備えている。以下、横材１９の延びる方向をｙ軸方向、縦材２０の延びる方向をｚ軸方向という。本実施形態では、ｙ軸方向はｘ軸方向に直交する水平方向であり、ｚ軸方向は鉛直方向である。
【００６０】
フレーム１５は、下端側の複数個所、本実施形態では、各縦材２０の下方となる４個所に、脚部材２１が設けられている。これにより、フレーム１５は、脚部材２１を介して基礎あるいは床上に載置可能とされている。
【００６１】
また、フレーム１５は、上端側に開閉可能な蓋部２２を備えた構成とされている。蓋部２２は、たとえば、横行材１８の上方に平行に配置された横行材２３と、横材１９の上方に平行に配置された横材２４とを備えた矩形枠構造とされ、四辺のうちの一辺が、ヒンジ２５を介してフレーム１５に揺動可能に取り付けられている。本実施形態では、蓋部２２の短辺がフレーム１５に取り付けられている。また、図示しないが、蓋部２２とフレーム１５との間には、蓋部２２を閉じた状態でロックするためのロック手段が備えられている。
【００６２】
更に、フレーム１５は、ワイヤ梱包体１の容器２の外周面（周壁７の外面）を受けるローラ２６ａ，２６ｂ，２７ａ，２７ｂを複数備えた構成とされている。たとえば、本実施形態では、図４に示すように、フレーム１５の下部について、ｘ軸方向の軸２８を中心に回転可能な下部ローラ２６ａ，２６ｂが、設定された間隔を隔てた２個所に平行に設けられている。また、蓋部２２には、各下部ローラ２６ａ，２６ｂの上方となる２個所に、ｘ軸方向の軸２８を中心に回転可能な上部ローラ２７ａ，２７ｂが平行に設けられている。
【００６３】
これにより、フレーム１５にワイヤ梱包体１を収納した状態では、容器２の外周面が下部ローラ２６ａ，２６ｂと上部ローラ２７ａ，２７ｂとによって受けられることで、ワイヤ梱包体１が回転可能に保持される。
【００６４】
また、図４に二点鎖線で示すように、ヒンジ２５を中心に蓋部２２をフレーム１５から離反する方向へ揺動させた状態では、蓋部２２と共に上部ローラ２７ａ，２７ｂをフレーム１５の上方から退避させることができて、ワイヤ梱包体１のフレーム１５への収納と、ワイヤ梱包体１のフレーム１５からの取り出しを行うことができる。
【００６５】
なお、前記したように、蓋部２２は、フレーム１５の上端側に配置することが好ましい。これは、ワイヤ梱包体１のフレーム１５に対する収納作業や取り出す作業を行うときに、ワイヤ梱包体１を図示しないクレーン等で吊って移動させることができるようにするためである。したがって、クレーン等で吊る以外の手法でワイヤ梱包体１の移動を行う場合は、その移動手法を考慮して、蓋部２２をフレーム１５の側方等、フレーム１５の上端側以外の個所に備える構成としてもよいことは勿論である。
【００６６】
アーム部材１７は、図４、図５、図６に示すように、板ばね２９と、板ばね２９の長手方向の一端側をフレーム１５に取り付けるスライド機構３０とを備えた構成とされている。
【００６７】
板ばね２９は、図６に示すように、長手方向の中間部が円弧形状や楕円弧形状で湾曲する湾曲部３１とされ、長手方向の一端側３２と他端側３３が直線的に延びる形状とされている。板ばね２９は、外力による強制的な変形が加えられていない状態のときに、図６に実線で示すように、一端側３２と他端側３３とが平行な配置よりも接近する角度配置となるように湾曲部３１の湾曲する量（角度）が設定されている。
【００６８】
板ばね２９は、図４、図５に示すように、フレーム１５に保持された状態のワイヤ梱包体１の中心を通るｘ軸方向およびｙ軸方向に平行な平面としての水平面に沿って配置されている。
【００６９】
板ばね２９の一端側３２は、フレーム１５に、スライド機構３０を介してｘ軸方向にスライド可能に取り付けられている。
【００７０】
スライド機構３０は、たとえば、図７に示すように、ｘ軸方向に延びる筒状のガイド３４と、ガイド３４に長手方向に沿ってスライド可能に挿入されたスライド部材３５とを備えている。
【００７１】
ガイド３４は、長手方向の両端側が、フレーム１５のｙ軸方向の一端側に配置されている２本の縦材２０の長手方向の中間部に取り付けられている。スライド部材３５には、板ばね２９の一端側３２が取り付けられている。
【００７２】
更に、ガイド３４の側壁には、長手方向に沿って延びる長孔３６が設けられ、この長孔３６に外部より挿通配置された取っ手３７が、スライド部材３５に取り付けられている。
【００７３】
また、図示しないが、スライド部材３５は貫通するねじ穴を備えた構成とし、そのねじ穴に螺着する雄ねじを取っ手３７に備えた構成としてもよい。この構成によれば、スライド部材３５のねじ穴に取っ手３７の雄ねじを締め込むことにより、スライド部材３５の反対側に突出する雄ねじの先端部をガイド３４の内面に突き当てることができて、この状態で、ガイド３４の長手方向に関してスライド部材３５の位置固定を行うことが可能になる。
【００７４】
スライド機構３０によるアーム部材１７のスライド範囲は、板ばね２９の他端側３３に接続手段３９を介して取り付けられるワイヤガイド１６を、図５に示すようにワイヤガイド１６がフレーム１５に支持したワイヤ梱包体１の容器２の内側に配置される状態と、図６に示すようにワイヤガイド１６がフレーム１５の外側に引き出された配置とされる状態との間で移動できるように設定されている。
【００７５】
板ばね２９の湾曲部３１よりも長手方向他端寄りとなる個所には、ハンドル３８が取り付けられている。このハンドル３８を把持して板ばね２９の他端側３３を一端側３２より離反する方向へ動かすことにより、板ばね２９は、湾曲部３１を、図６に実線で示した状態から二点鎖線で示す状態へと伸展する方向に弾性変形させることができるようにしてある。
【００７６】
ここで、ワイヤガイド１６について説明する。
【００７７】
ワイヤガイド１６は、図８に示すように、ｘ軸方向に延びる円柱面によるワイヤガイド面部４０と平面部４１とを備えた略半円柱形状とされている。
【００７８】
ワイヤガイド１６の長手方向の寸法は、ワイヤ梱包体１の容器２におけるｘ軸方向の内法寸法に比して、溶接ワイヤ５の直径以内の寸法差で小さく設定されている。これにより、図５に示すように、ワイヤガイド１６を容器２の内側に配置するときに、ワイヤガイド１６の長手方向両端部と容器２の各端壁３ａ，３ｂの内面との間に、溶接ワイヤ５が通過できるような幅の隙間が生じないようにしてある。
【００７９】
ワイヤガイド１６は、図６に示すように、アーム部材１７を構成する板ばね２９の一端側３２と他端側３３の間に、ワイヤガイド面部４０が一端側３２に臨み、平面部４１が他端側３３に臨む姿勢に配置され、この状態で、平面部４１に、板ばね２９の他端側３３が、スライドと角度変更が可能な接続手段３９を介して接続されている。
【００８０】
接続手段３９は、たとえば、図８に示すように、ワイヤガイド１６の平面部４１にワイヤガイド１６の長手方向に沿って設けられたガイドレール４２と、ガイドレール４２にガイドブロック４３を介してスライド自在に取り付けられたスライダ４４とを備えている。
更に、スライダ４４には、ブラケット４５とピン４６とを介して揺動部材４７がワイヤガイド１６の長手方向に沿って揺動可能に取り付けられ、この揺動部材４７に、板ばね２９の他端側３３が取り付けられている。
【００８１】
これにより、スライダ４４のガイドレール４２に沿うスライドに基づいて、ワイヤガイド１６は、板ばね２９の他端側３３に対する相対的なｘ軸方向の位置の変更が可能となっている。また、スライダ４４に対する揺動部材４７の揺動に基づいて、ワイヤガイド１６は、板ばね２９の他端側３３に対する角度姿勢の変更が可能となっている。
【００８２】
したがって、ワイヤガイド１６がワイヤ梱包体１の容器２の内側で、図５に実線で示す状態から、二点鎖線で示す状態まで径方向に変位するときに、アーム部材１７の板ばね２９は、容器２の開口４の周縁に干渉することがなく、且つワイヤガイド１６に対して板ばね２９の一端側３２が配置されている方向、すなわち、容器２の径方向外向きの付勢を継続して行うことができる。
【００８３】
なお、ワイヤガイド面部４０は、ワイヤ梱包体１のワイヤ巻体８の内周部に径方向の内側から押し当てられた状態で、ワイヤ巻体８の内周部から巻きがほどかれる溶接ワイヤ５の向きを開口４に向けて円滑に変更するために用いられる曲面である。そのため、ワイヤガイド面部４０は、前記のようにワイヤ巻体８の内周部から巻きがほどかれる溶接ワイヤ５の向きを開口４に向けることができる曲面となっていれば、曲面の形状は、円柱面以外でもよく、楕円柱面、双曲柱面、放物線柱面など、周方向で曲率が変化する曲面を採用してもよいことは勿論である。また、ワイヤガイド面部４０の曲面は、円柱面以外の曲面とする場合、ｘ軸方向およびｙ軸方向に平行な水平面の両側で非対称となっていてもよい。
【００８４】
ワイヤガイド面部４０は、ワイヤ巻体８の内周部から巻きがほどかれる溶接ワイヤ５が滑って移動する面となっている。そのため、ワイヤガイド面部４０は、溶接ワイヤ５よりも硬度が高い材質製とするか、あるいは、フッ素樹脂のような摩擦係数の小さい材質製とすることが好ましい。これは、ワイヤガイド面部４０について、溶接ワイヤ５の摺動によって生じる摩耗を抑制するのに有利なためである。
【００８５】
更に、フレーム１５には、図４、図５に示すように、開口４に対してワイヤガイド１６が付勢される側とは反対側の近傍位置に、開口４を通過した直後の溶接ワイヤ５を受けて案内するための案内部材４８が設けられている。
【００８６】
案内部材４８は、たとえば、フレーム１５における前記所定の位置に設けられた上下方向に延びる縦材４９の側部に取り付けられている。案内部材４８は、ワイヤガイド１６のワイヤガイド面部４０と同様な材質製とされ、溶接ワイヤ５と接する部分に円柱面のような曲面を備える構成とされている。
【００８７】
なお、案内部材４８は、図示したような固定式とする構成に代えて、前記所定の位置に設けられた案内ローラであってもよい。
【００８８】
以上の構成としてある本実施形態のワイヤ供給装置１４を使用して溶接ワイヤ５の供給を行う場合は、先ず、図６に示すように、スライド機構３０の操作により、ワイヤガイド１６をフレーム１５の外側に引き出し、この状態で図４に二点鎖線で示すように蓋部２２を開けて、フレーム１５にワイヤ梱包体１を収納する。ワイヤ梱包体１は、蓋６（図１（ａ）（ｃ）参照）を取り外して開口４を開放する。
【００８９】
次に、図６に二点鎖線で示すように、アーム部材１７について、図示しない作業者がハンドル３８を把持して板ばね２９を強制的に弾性変形させて、ワイヤガイド１６の位置をワイヤ梱包体１（図５参照）の開口４の位置に合わせて配置する。次いで、スライド機構３０の操作により、図５に実線で示すように、ワイヤガイド１６をワイヤ梱包体１の開口４を通して容器２内に挿入する。
【００９０】
その状態で、ハンドル３８の把持を解除して、板ばね２９の弾性変形状態からの復元力により、ワイヤガイド１６をワイヤ巻体８の内周部に押し付ける。
【００９１】
その後は、ワイヤ巻体８の内周部に露出している溶接ワイヤ５の端部を開口４より取り出し、案内部材４８に沿わせるように配置した状態で、溶接ワイヤ５を順次引き出すようにする。
【００９２】
これにより、ワイヤ巻体８では、径方向に順次積層するように巻かれている溶接ワイヤ５が、内周側の層から順に引き出されるようになる。この溶接ワイヤ５の引き出しに伴い、フレーム１５に回転可能に保持されているワイヤ梱包体１は受動的に回転する。
【００９３】
この際、ワイヤ巻体８の内周部には、ワイヤガイド１６が内側から押し付けられているため、溶接ワイヤ５の巻きがほどかれる個所は、ワイヤガイド１６が押し当てられている個所に制限される。しかも、溶接ワイヤ５は、自身の有する弾性力によって、径方向に広がろうとする力が常時付与されているため、溶接ワイヤ５の巻きが途中で内周側に崩れることは防止され、よって、溶接ワイヤ５に絡みが生じる虞は抑制される。
【００９４】
溶接ワイヤ５が順次引き出されると、ワイヤ巻体８は内周側の空隙が大きくなるように次第に変形するが、この際、ワイヤガイド１６は、板ばね２９を用いたアーム部材１７によって外周側に常時付勢されているため、ワイヤガイド１６がワイヤ巻体８の内周部に押し付けられた状態は維持される。
【００９５】
よって、本実施形態のワイヤ供給装置１４によれば、ワイヤ梱包体１に巻かれて収納されている溶接ワイヤ５を、その全長に亘り巻きが崩れたり絡みが生じる虞を防止した状態で、容器２の開口４から順次外部へ引き出して、図示しない溶接装置に供給することができる。
【００９６】
また、本実施形態のワイヤ供給装置１４は、ワイヤ梱包体１を回転させながら、図４、図５に示すように、ワイヤ巻体８から引き出される溶接ワイヤ５をｘ軸方向に直交する方向に引き出すようにしてある。このため、引き出される溶接ワイヤ５に撚りが生じることを回避することができる。よって、外部に供給される溶接ワイヤ５は、巻き癖が軽減されたものとすることができる。
【００９７】
更に、前述したように、ワイヤ梱包体１はワイヤ巻体８を収納する容器２の小型化が図られたものであるため、このワイヤ梱包体１を使用する本実施形態のワイヤ供給装置１４も、装置構成の小型化を図ることができる。
【００９８】
［ワイヤ供給装置の第２実施形態］
図９はワイヤ供給装置の第２実施形態を示す概略側面図である。図１０は図９のＢ−Ｂ方向矢視図である。図１１は本実施形態のワイヤ供給装置における制御系を示すブロック図である。
【００９９】
なお、図９乃至図１１において、図４乃至図８に示したものと同一のものには同一符号を付してその説明を省略する。
【０１００】
本実施形態のワイヤ供給装置は、図９、図１０に符号１４Ａで示すもので、図４乃至図８に示した第１実施形態のワイヤ供給装置１４と同様の構成において、ワイヤ梱包体１を回転駆動する回転駆動手段５０を備え、更に、ワイヤ梱包体１におけるワイヤ巻体８の内周部の径を測定する測定手段５１と、回転駆動手段５０の制御装置５２とを備える構成としたものである。
【０１０１】
回転駆動手段５０は、たとえば、図９に示すように、フレーム１５の下部に設けられている複数の下部ローラ２６ａ，２６ｂのうち、少なくとも１つの下部ローラ２６ａの軸２８に、駆動モータ５３の出力側を接続した構成とされている。
【０１０２】
これにより、フレーム１５に収納されたワイヤ梱包体１の容器２の外周面が各下部ローラ２６ａ，２６ｂに受けられている状態で、駆動モータ５３を運転して下部ローラ２６ａを図９における反時計回り方向に回転駆動すると、この下部ローラ２６ａに容器２の外周面で接しているワイヤ梱包体１が、図９における時計回り方向に回転駆動されるようになる。
【０１０３】
このため、回転駆動されるワイヤ梱包体１から溶接ワイヤ５の能動的な送り出しが行われるようになる。
【０１０４】
ところで、ワイヤ梱包体１では、容器２に収納されている溶接ワイヤ５の量の変化に応じて、ワイヤ巻体８の内周部の径は変化する。このワイヤ巻体８の内周部の半径をｒ［ｍ］とおくと、ワイヤ巻体８の内周部に存在している溶接ワイヤ５の一周当たりの長さは２πｒ［ｍ］となる。このため、ワイヤ梱包体１が一回転するときにワイヤ巻体８の内周部から巻きがほどかれて外部に送り出される溶接ワイヤ５の長さは、ワイヤ巻体８の内周部の半径ｒに依存して変化する。
【０１０５】
そこで、本実施形態のワイヤ供給装置１４Ａは、ワイヤ梱包体１における容器２内のワイヤ巻体８の内周部の半径ｒを自動的（機械的）に測定する測定手段５１を備える。
【０１０６】
測定手段５１は、たとえば、図１０に示すように、ワイヤガイド１６に取り付けられた磁石５４と、フレーム１５に設置されて磁石５４の位置を測定する磁気センサ５５とを備えた構成とされている。
【０１０７】
この際、磁気センサ５５による磁石５４の位置の測定精度を高めるためには、磁石５４と磁気センサ５５との距離をできるだけ接近させて配置することが好ましい。そのため、磁石５４は、ワイヤガイド１６において、ワイヤ梱包体１の容器２の端壁３ｂに内側から臨むように配置される端部側に取り付けられている。
【０１０８】
一方、磁気センサ５５は、端壁３ｂの外面に臨む位置に容器２の半径方向に沿うように配置されていて、フレーム１５に図示しない取付部材を介して取り付けられている。
【０１０９】
これにより、ワイヤガイド１６がワイヤ梱包体１のワイヤ巻体８の内周部に接する配置になると、磁気センサ５５によってワイヤガイド１６に取り付けられた磁石５４の位置が計測される。
【０１１０】
このとき、ワイヤガイド１６では、磁石５４の位置から、ワイヤガイド面部４０のワイヤ巻体８の内周部に接する個所までのｙ軸方向の寸法は、設計データや実測により知ることができる。
【０１１１】
また、磁気センサ５５とワイヤ梱包体１の容器２の軸心位置との相対的な配置は、設計データや実測により知ることができる。
【０１１２】
よって、容器２の軸心位置からワイヤガイド１６がワイヤ巻体８の内周部に接する個所までの距離、すなわち、ワイヤ巻体８の内周部の半径ｒと、磁気センサ５５による磁石５４の位置の測定結果とは相関性を有する。この相関性は、制御装置５２に登録しておく。
【０１１３】
更に、下部ローラ２６ａの径と容器２の径は、設計データや実測により知ることができるため、両者の比を制御装置に登録しておく。
【０１１４】
これにより、制御装置５２は、図１１にブロック図を示すように、磁気センサ５５から磁石５４の位置の測定結果が入力されると、前記相関性を用いてワイヤ巻体８の内周部の半径ｒを算出する。
【０１１５】
更に、制御装置５２は、ワイヤ巻体８の内周部の半径ｒを基に、所望される溶接ワイヤ５の送り出し速度を得るために必要となるワイヤ梱包体１の容器２の回転速度を求める。
【０１１６】
容器２の回転速度が求まると、制御装置５２は、その容器２の回転速度を得るために必要とされる下部ローラ２６ａの回転速度を求め、求められた下部ローラ２６ａの回転速度が実現されるように、駆動モータ５３へ回転駆動指令を与える機能を備えている。
【０１１７】
したがって、本実施形態のワイヤ供給装置１４Ａによれば、第１実施形態のワイヤ供給装置１４と同様の効果に加えて、溶接ワイヤ５の外部への定量供給を行うことができる。
【０１１８】
なお、前記各実施形態のワイヤ供給装置１４，１４Ａでは、アーム部材１７は、ワイヤガイド１６に対する付勢力を生じる手段として、長手方向の中間部に湾曲部３１を備える板ばね２９を使用する構成について示したが、アーム部材１７は、図１２（ａ）や図１２（ｂ）に示すような構成としてもよい。
【０１１９】
図１２（ａ）に示したアーム部材１７は、直線的な３本の棒材５６ａ，５６ｂ，５６ｃを、屈曲した板ばね５７ａ，５７ｂを介して順次連結した構成とされている。
【０１２０】
かかる構成のアーム部材１７によれば、図５に示したと同様にワイヤガイド１６をワイヤ梱包体１のワイヤ巻体８の内周部に配置すると、各板ばね５７ａ，５７ｂは伸展方向に弾性変形される。このため、各板ばね５７ａ，５７ｂの弾性変形状態からの復元力により、ワイヤガイド１６をワイヤ巻体８の内周部に押し付けるように付勢することができる。
【０１２１】
図１２（ｂ）に示したアーム部材１７は、直線的な３本の棒材５６ａ，５６ｂ，５６ｃが、ヒンジ５８ａ，５８ｂを介して屈伸可能に連結されている。更に、各棒材５６ａ，５６ｂにおけるヒンジ５８ａとの接続部の近傍個所同士の間、および、各棒材５６ｂ，５６ｃにおけるヒンジ５８ｂとの接続部の近傍個所同士の間には、それぞれヒンジ５８ａ，５８ｂを跨ぐように配置したばね部材５９ａ，５９ｂが取り付けられている。なお、ばね部材５９ａ，５９ｂが自然長のときに、各棒材５６ａ，５６ｂ，５６ｃが図１２（ｂ）に示すような角度に配置されるように、ばね部材５９ａ，５９ｂの長さが設定されている。
【０１２２】
かかる構成のアーム部材１７によれば、図５に示したと同様にワイヤガイド１６をワイヤ梱包体１のワイヤ巻体８の内周部に配置すると、各ばね部材５９ａ，５９ｂが伸長するように弾性変形される。このため、各ばね部材５９ａ，５９ｂの弾性変形状態からの復元力により、ワイヤガイド１６をワイヤ巻体８の内周部に押し付けるように付勢することができる。
【０１２３】
更に、アーム部材１７は、ワイヤ梱包体１の容器２の内側に配置されるワイヤガイド１６をワイヤ巻体８の内周部に押し付ける方向に付勢することができるようにしてあれば、図４乃至図６に示した構成や、図１２（ａ）（ｂ）に示した構成以外の任意の構成のものを採用してもよいことは勿論である。
【０１２４】
また、本発明は前記各実施形態にのみ限定されるものではなく、アーム部材１７のスライド機構３０は、アーム部材１７に取り付けられたワイヤガイド１６を、図５に示した配置から、図６に示した配置までの範囲で移動できるようにしてあれば、図７に示した以外の任意の構成のスライド機構３０を採用してもよい。
【０１２５】
アーム部材１７をワイヤガイド１６に接続する接続手段３９は、アーム部材１７に対するワイヤガイド１６の相対的なスライドと角度変更が可能であれば、図８に示した以外の任意の構成の接続手段３９を採用してもよい。したがって、ワイヤガイド１６は、曲面となるワイヤガイド面部４０を備えると共に、アーム部材１７に接続手段３９を介して接続された構成を備えていれば、接続手段３９を設ける個所は、必ずしも平面でなくてもよい。
【０１２６】
ワイヤガイド１６は、中空構造と中実構造のいずれであってもよい。更に、ワイヤガイドは、ワイヤガイド面部４０に沿って湾曲した板状の構造として、その湾曲形状の内側に向いた面に、接続手段３９を介してアーム部材１７を接続した構成としてもよい。
【０１２７】
フレーム１５は、ワイヤ梱包体１を回転可能に収納することができ、且つワイヤ梱包体１の容器２の開口４より引き出される溶接ワイヤ５を外部へ導くことができるようにしてあれば、図示した以外の骨組構造としてもよく、更には、箱構造などの骨組構造以外の任意の構成のフレームを採用してもよい。
【０１２８】
各実施形態のワイヤ供給装置１４，１４Ａは、ワイヤ梱包体１をｘ軸方向を水平に配置した姿勢で用いるものとして示したが、ワイヤ梱包体１のｘ軸方向を任意の角度姿勢に配置した状態で用いるものとしてもよい。その場合は、ｘ軸方向の角度姿勢に合わせて前述したｙ軸方向およびｚ軸方向の向きを適宜変更すればよい。また、このようにｘ軸方向の角度姿勢を変更する場合、ワイヤ供給装置１４，１４Ａのフレーム１５には、ワイヤ梱包体１の端壁３ａ，３ｂや外周面の向きと配置に応じたローラを備えて、ワイヤ梱包体１を回転自在に保持できるようにすればよい。
【０１２９】
ｘ軸方向の角度姿勢を変更する場合、脚部材２１はフレーム１５における基礎や床に臨む配置とされる個所に設けるようにすればよい。
【０１３０】
ワイヤ梱包体１は、容器２の軸心方向の両端側の端壁３ａ，３ｂの中央部に、開口４を備える構成としてあってもよい。この場合、ワイヤガイド１６を挿入する開口と、溶接ワイヤ５を容器外部へ引き出す開口とを同一としてもよいし、分けてもよい。
【０１３１】
第２実施形態のワイヤ供給装置１４Ａにおいて、ワイヤ梱包体１におけるワイヤ巻体８の内周部の半径ｒを測定する測定手段５１は、容器に設けられている窓１２（図１（ｂ）参照）を通してワイヤ巻体８の内周部の位置をカメラ等で撮影し、その画像解析によってワイヤ巻体８の内周部の位置を求める方式や、容器２の端壁３ａ，３ｂの外側から金属探知機により溶接ワイヤ５に含まれる金属が存在する位置と存在しない位置との境界を検出して、ワイヤ巻体８の内周部の位置を求める方式など、図示した以外の任意の形式の測定手段５１を採用してもよい。
【０１３２】
第２実施形態のワイヤ供給装置１４Ａでは、下部ローラ２６ａ，２６ｂの双方を回転駆動するようにしてもよい。
【０１３３】
ワイヤ梱包体１は、容器２におけるワイヤ供給装置１４，１４Ａのローラ２６ａ，２６ｂ，２７ａ，２７ｂが接する個所以外の個所に、ワイヤ梱包体１の搬送や使用時の取り扱いを容易にするための図示しないハンドルや、クレーン等の吊り具を掛けるため係止部材などを備えた構成としてもよい。
【０１３４】
本発明のワイヤ梱包体とワイヤ供給装置は、溶接ワイヤ５以外の任意のワイヤの梱包や、その梱包されたワイヤの供給に適用してもよい。
【０１３５】
その他本発明の要旨を逸脱しない範囲内で種々変更を加え得ることは勿論である。
【符号の説明】
【０１３６】
１  ワイヤ梱包体、２  容器、３ａ，３ｂ  端壁、４  開口、５  溶接ワイヤ（ワイヤ）、６  蓋、７  周壁、１１  ガイド手段、１４，１４Ａ  ワイヤ供給装置、１５  フレーム、１６  ワイヤガイド、１７  アーム部材、５０  回転駆動手段
【図１】
2017047444.tif 000003
【図２】
2017047444.tif 000004
【図３】
2017047444.tif 000005
【図４】
2017047444.tif 000006
【図５】
2017047444.tif 000007
【図６】
2017047444.tif 000008
【図７】
2017047444.tif 000009
【図８】
2017047444.tif 000010
【図９】
2017047444.tif 000011
【図１０】
2017047444.tif 000012
【図１１】
2017047444.tif 000013
【図１２】
2017047444.tif 000014